(57)【要約】      （修正有）【課題】ゴルフクラブのフェース面の向きを視覚的に確認することのできるゴルフスイング確認装置を提供すること。【解決手段】ゴルフスイング確認装置１は、平面状の光３１ａを地面に対して垂直に放射する光源３１、ゴルフクラブ１０のヘッドのフェース面以外の箇所に、上面視においてゴルフクラブのスイートスポットを含む線状に形成された光反射具、及び平面状の光を含む面上に配される撮像装置３２を備える。光源から放射される平面状の光に沿ってゴルフクラブをスイングすると、ゴルフクラブの光反射具が平面上を軌道することにより光が反射され、その反射光を撮像装置により撮像することで、理想的なスイング、すなわちゴルフクラブのスイートスポットが平面に沿って軌道しているかどうか確認することができる。【選択図】図１
2019126636.tif 000002
【特許請求の範囲】
【請求項１】
平面状の光を地面に対して垂直に放射する光源と、
前記ゴルフクラブのヘッドに接して設けられた直線状の光反射具と、
前記平面状の光を含む面上の箇所から前記ゴルフクラブを撮像する撮像装置とを備え、
前記光反射具は、上面視において前記ゴルフクラブのスイートスポットを含む面内に、前記スイートスポットにおける前記ゴルフクラブのフェース面の法線方向に伸びる直線に沿って、前記ゴルフクラブのフェース面以外の箇所に設けられることを特徴とする、ゴルフスイング確認装置。
【請求項２】
前記光は有色であることを特徴とする、請求項１に記載のゴルフスイング確認装置。
【請求項３】
前記光源は、ラインレーザ発光装置であることを特徴とする、請求項１又は２に記載のゴルフスイング確認装置。
【請求項４】
前記撮像装置は、上方に配され、下方に向けて撮像することを特徴とする、請求項１から３のいずれか１項に記載のゴルフスイング確認装置。
【請求項５】
前記ゴルフクラブはウッドクラブであり、
前記光反射具は、前記ゴルフクラブのヘッドの上面に設けられた上面視で前記スイートスポットを通り前記フェース面に直交する直線上に延びる直線状の反射面であることを特徴とする、請求項１から４のいずれか１項に記載のゴルフスイング確認装置。
【請求項６】
前記ゴルフクラブはアイアンクラブであり、
前記光反射具は、前記ゴルフクラブのヘッドの上側から、上面視で前記スイートスポットを通り前記フェース面に直交する直線上に突出する棒状体であることを特徴とする、請求項１から４のいずれか１項に記載のゴルフスイング確認装置。
【発明の詳細な説明】
【技術分野】
【０００１】
本発明は、ゴルフクラブのフェース面の向きを確認するゴルフスイング確認装置に関する。
【背景技術】
【０００２】
ゴルフスイングの練習において、ゴルフクラブのヘッドの向き及び軌道を分析するゴルフスイング分析装置が知られている。例えば、特許文献１には、ゴルフクラブのフェース面に配置された複数の平坦状の光反射部及びそれらに照射光を照射する光照射部を備え、ゴルフクラブによるアドレスの際に、光反射部で反射された反射光の形態の違いによって、ロフト角、ライ角、及びフェース面の向きの狂いを検出するゴルフアドレスのズレ検出装置が開示されている。
【０００３】
また、特許文献２には、ラインレーザ発光装置（垂直な扇形レーザー光を供給する装置）を用い、ゴルフクラブがレーザ光を遮断するタイミングに基づいて、ロフト角、フェース面の向き、速度等を求めるゴルフスイング分析装置が開示されている。
【０００４】
特許文献１及び特許文献２に開示された装置は、いずれも、レーザ光を活用した分析に基づいてスイングを数値的に求めるものである。スイングにズレが生じていたことが、正しい数値との比較によって理解できるが、スイングを見てズレを視覚的に把握できるものではない。
【０００５】
また、特許文献１に開示された装置は、平坦状の光反射部をフェース面に配置するので、フェース面の形状がゴルフクラブ自身と相違してしまい、打たれたボールの軌道が実際とは相違する。練習の効果を減らしてしまう。
【先行技術文献】
【特許文献】
【０００６】
【特許文献１】特開２００７−２１５８３２号公報
【特許文献２】特表２００２−５０９７８０号公報
【発明の概要】
【発明が解決しようとする課題】
【０００７】
本発明は、ゴルフクラブのフェース面の向きを視覚的に確認することのできるゴルフスイング確認装置を提供することを課題とする。
【課題を解決するための手段】
【０００８】
スイングの過程において、正しいスイングであれば１つの平面内にある箇所に光反射具を設け、該平面に光を放射し、ゴルフクラブを撮像して光反射具から光が継続的に反射されているか否かを視覚的に確認できるようにする。
【０００９】
ここで、「正しいスイングであれば１つの平面内にある」ことによって確認できるものは、フェース面の向きである。ロフト角、ライ角についての確認は、本発明の課題ではない。打たれたボールの軌道について、フェース面の向きが大きく影響する（スコアへの影響として８０％程度がフェース面の向きであるとも言われている。）ので、フェース面の向きを視覚的に確認できるようにすることで、多くのゴルファーの練習効果を高めるものである。
【００１０】
本発明のゴルフスイング確認装置は、
平面状の光を地面に対して垂直に放射する光源と、
前記ゴルフクラブのヘッドに接して設けられた直線状の光反射具と、
前記平面状の光を含む面上の箇所から前記ゴルフクラブを撮像する撮像装置とを備え、
前記光反射具は、上面視において前記ゴルフクラブのスイートスポットを含む面内に、前記スイートスポットにおける前記ゴルフクラブのフェース面の法線方向に伸びる直線に沿って、前記ゴルフクラブのフェース面以外の箇所に設けられることを特徴とする。
【００１１】
この特徴によれば、光源から放射される平面状の光に沿ってゴルフクラブをスイングすると、ゴルフクラブの光反射具が平面上を軌道することにより光が反射され、その反射光を撮像装置により撮像することで、フェース面が平面に対して正しい向きであるかどうか確認することができる。光反射具が直線状なので、正しい向きであれば光反射具の全体が光を反射するが、正しい向きでなければ光反射具の一部（平面が交差する部分）のみが光を反射する。この相違は視覚的に容易に確認できるものである。ここで、「上面視」の「上面」は、ゴルフクラブを理想的に（スイートスポットがボールに当たり、正しいフェースの向き、ロフト角及びライ角で）スイングする場合における、地面に対して鉛直な上方から見た面である。（以下同じ。）
【００１２】
本発明のゴルフスイング確認装置は、
前記光は有色であることを特徴とする。
【００１３】
この特徴によれば、自然光をも反射する光反射具において反射された光が、光源３１からの光であることが容易に理解できる。
【００１４】
本発明のゴルフスイング確認装置は、
前記光源は、ラインレーザ発光装置であることを特徴とする。
【００１５】
この特徴によれば、平面上の光を発する装置として広く用いられているラインレーザ発光装置を活用することができる。
【００１６】
本発明のゴルフスイング確認装置は、
前記撮像装置は、上方に配され、下方に向けて撮像することを特徴とする。
【００１７】
この特徴によれば、練習場の天井に撮像装置を設置することができる。また、下方に向けて撮像された画像は、それを見た者によるスイングの理解が容易である。
【００１８】
本発明のゴルフスイング確認装置は、
前記ゴルフクラブはウッドクラブであり、
前記光反射具は、前記ゴルフクラブのヘッドの上面に設けられた上面視で前記スイートスポットを通り前記フェース面に直交する直線上に延びる直線状の反射面であることを特徴とする
【００１９】
この特徴によれば、フェース面に直交する方向に厚みを有するウッドクラブについて、光を反射するテープを貼付する等の方法により、容易に光反射具を設けることができる。ここで、ウッドクラブはフェース面が曲面であることがあり、「直交する」直線の方向が一意に定まらないことがある。その場合には、スイートスポットにおけるフェース面の法線方向が「直交する」直線の方向であるとする。なお、上面視で直交していればよく、上下方向の向きは問わない。厚みの部分が上下方向に傾斜していても、傾斜した上面に光反射具を設けてよい。また、直線は、上面視でスイートスポットを通るので、スイートスポットの真上又は真下を通る直線であればよい。
【００２０】
本発明のゴルフスイング確認装置は、
前記ゴルフクラブはアイアンクラブであり、
前記光反射具は、前記ゴルフクラブのヘッドの上側から、上面視で前記スイートスポットを通り前記フェース面に直交する直線上に突出する棒状体であることを特徴とする。
【００２１】
この特徴によれば、フェース面に直交する方向に厚みを有さないアイアンクラブについても、光反射具を設けることができる。上面視で直交していればよく、上下方向の向きは問わない。また、直線は、上面視でスイートスポットを通るので、スイートスポットの真上又は真下を通る直線であればよい。なお、光反射具がフェース面から突出するので、ボールに当たってしまうことのないよう、ヘッドの上側に設けることが好ましい。
【発明の効果】
【００２２】
本発明によれば、ゴルフクラブのフェース面の向きを視覚的に確認することのできるゴルフスイング確認装置を提供することが可能となる。
【図面の簡単な説明】
【００２３】
【図１】図１は、ゴルフスイング確認装置を示す図である。
【図２】図２は、ウッドクラブのヘッドの構成を示す図である。
【図３】図３は、アイアンクラブのヘッドの構成を示す図である。
【図４】図４は、フェース面の向きと反射光の関係を示す図である。
【発明を実施するための形態】
【００２４】
以下、本発明の一実施形態について説明する。
【００２５】
図１は、ゴルフスイング確認装置を示す図である。本実施形態に係るゴルフスイング確認装置１を、プレーヤＰによりゴルフクラブ１０（又は２０）を用いてスイングを確認している状態において示す。ゴルフスイング確認装置１は、ゴルフクラブのヘッドの軌道を確認する装置であり、光源３１、撮像装置３２、及び、光反射具１４（本図では非図示、図２に示す。）又は光反射具２４（本図では非図示、図３に示す。）を備える。
【００２６】
ゴルフクラブ１０，２０は、それぞれ、ウッドクラブ及びアイアンクラブである。それらのヘッドのフェース面以外の箇所に、光反射具１４，２４が設けられている。
【００２７】
図２は、ウッドクラブのヘッドの構成を示す図である。ウッドクラブ１０のヘッド１１を示したものである。光反射具１４は、フェース面１２以外の箇所であるヘッド上面に設けられた上面視でフェース面１２に直交する方向に延びる線状の反射面である。反射面は、例えば反射テープを、上面視においてヘッド１１のスイートスポット１１ａに向かって、フェース面１２に直交する方向に貼り付けることで設けることができる。
【００２８】
図３は、アイアンクラブのヘッドの成を示す図である。アイアンクラブ２０のヘッド２１を示したものである。ここで、図３（Ａ）及び（Ｂ）は、それぞれ、正面図及び側面図である。光反射具２４は、フェース面２２の法線方向に突出する棒状体であり、上面視でフェース面２２に直交する方向にスイートスポット２１ａを通って、伸びている。棒状体は、ヘッド２１の前後両方に延伸されているが、一方のみであってもよい。棒状体は、本例では側面に反射面が設けられた円柱である。なお、上面に反射面が設けられた角柱であってもよい。
【００２９】
光源３１は、平面状の光３１ａを地面に対して垂直に放射する光源であり、一例としてラインレーザ発光装置を採用することができる。ここで、光は、有色であることが望ましい。それにより、反射される光を容易に視認することができる。光反射具１４，２４は、光源３１からの光のみならず、自然光をも反射する。有色であることにより、光源３１からの光であることが容易に理解できる。
【００３０】
撮像装置３２は、光源３１から放射され、ゴルフクラブ１０，２０の光反射具１４，２４により反射された光を含み、ゴルフクラブ１０，２０撮像する装置である。例えば、動画を撮像するビデオカメラを撮像装置３２として用いることができる。撮像装置３２は、上方に配され下方に向けて撮像する。それにより、ゴルフクラブ１０、２０の光反射具１４，２４により上方に反射される反射光を撮像装置３２により撮像することができる。
【００３１】
図４は、フェース面の向きと反射光の関係を示す図である。撮像装置３２によって撮像される画像について説明するものである。図は、アイアンクラブ２０をスイングする様子を、上方から撮像した画像に係るものである。
【００３２】
図４（Ａ）は、フェース面の向きが正しい場合を示す図である。図においてヘッド２１を２つ描いているが、下方のものがスイングによって上方に移動する。光反射具２４が、光３１ａの照射される範囲に継続して存在し、直線状の光反射具２４全体からの反射光が継続して視認される。図において、反射光が視認される範囲を黒色で示す。
【００３３】
図４（Ｂ）は、フェース面の向きがズレている場合を示す図である。下方においては正しいフェース面の向きであったものが、スイングの途中でフェース面の向きがズレてしまった場合を示す。上方においてはヘッド２１の角度が相違し、光反射具２４が光３１ａの照射される範囲に対し傾斜している。この結果、光３１ａは光反射具２４の全体でなく一部のみから反射する。
【００３４】
図４（Ａ）と図４（Ｂ）との光の反射の相違は、明白であり、撮像装置３２によって撮像される画像を見ることで、フェース面の向きがズレたことが容易に把握できる。また、スイングの最初から最後までを撮像することにより、フェース面の向きがズレたタイミングを把握することができ、ゴルファーのスイング改善の参考となる。画像を見て視覚的に把握できるので、多くのゴルファーが容易に理解できるものとなる。
【産業上の利用可能性】
【００３５】
ゴルフクラブのフェース面の向きを視覚的に確認することのできるゴルフスイング確認装置である。多くのゴルファーによる利用が考えられる。
【符号の説明】
【００３６】
１      ゴルフスイング確認装置
１０    ゴルフクラブ（ウッドクラブ）
１１    ヘッド
１１ａ  スイートスポット
１２    フェース面
１４    光反射具
２０    ゴルフクラブ（アイアンクラブ）
２１    ヘッド
２１ａ  スイートスポット
２２    フェース面
２４    光反射具
３１    光源
３１ａ  光
３２    撮像装置
Ｐ      プレーヤ
【図１】
2019126636.tif 000003
【図２】
2019126636.tif 000004
【図３】
2019126636.tif 000005
【図４】
2019126636.tif 000006